(57)【特許請求の範囲】
【請求項１】
臥床者（２２）の身長及び肩幅よりも若干大寸となる前後方向に細長い浅い樋状の受け板（２）を設け、前記受け板（２）の前端部に、底面が受け板（２）の前端部に密接する半月状の枕（７）を着脱可能に設け、前記受け板（２）の後端部に堰（３）を設け、該堰（３）の底部中心部に排水口（４）を設けるとともに、該堰（３）の上部にオーバーフロー口（９）を設け、受け板（２）の底部中心部に前部から前記排水口（４）に向かって延びる排水溝（４ａ）を設けたことを特徴とする臥床者の受け具。
【請求項２】
受け板（２）は、軟質プラスチック材からなる軟質層（２ａ）内に硬質プラスチック性の芯材（２ｂ）を埋設し、該芯材（２ｂ）により浅い樋状に保形するとともに、前後方向中間部は前記芯材（２ｂ）が除去された軟質層（２ａ）のみとしたことを特徴とする請求項１記載の臥床者の受け具。
【請求項３】
受け板（２）の両側に、上面が受け板（２）の底面に沿う円弧面となる楔形の安定具（８）を抜き差し可能に設けたことを特徴とする請求項１又は２記載の臥床者の受け具。
【請求項４】
臥床者（２２）の身長及び肩幅よりも若干大寸となる前後方向に細長い浅い樋状の受け板（２）を設け、前記受け板（２）の後端部に堰（３）を設け、該堰（３）の底部中心部に排水口（４）を設けるとともに、該堰（３）の上部にオーバーフロー口（９）を設け、前記受け板（２）の前端部に、底面が受け板（２）の前端部に密接する半月状の枕（７）を着脱可能に設け、前記受け板（２）の底部中心部に前部から前記排水口（４）に向かって延びる排水溝（４ａ）を設けてなる受け具（１）と、該受け具（１）の上面を覆うカバー（１１）とを設け、前記カバー（１１）は、左右幅（Ｗ２）が前記受け板（２）の左右幅（Ｗ１）よりも若干小さく、かつ前後の長さ（Ｌ２）が、前記枕（７）の直後部から前記堰（３）の直前部に至る長さとなる、下面及び前面が開口した倒立容器状にするとともに、前部に小径かつ円弧状の窓孔（１３ａ）を有する前部カーテン（１３）を設けてなり、前記カバー（１１）内に洗浄水を噴出する多数のノズル（１６）を設けたことを特徴とする臥床者のシャワー入浴装置。
【請求項５】
カバー（１１）は前後方向に分割又は前後方向に伸縮可能としたことを特徴とする請求項４記載の臥床者のシャワー入浴装置。
【発明の詳細な説明】
【０００１】
【発明の属する技術分野】
本発明は、自身で排便・排尿処理ができない臥床者（患者又は負傷者）をベッドあるいは布団上で受ける臥床者の受け具及び臥床者のシャワー入浴装置に関するものである。
【０００２】
【従来の技術】
従来の技術として、特開平１１−１１４００８号公報に記載されたもの、即ち、上面が開口した前後方向に細長い容器状の本体を設け、強度部材により前後方向に細長い長方形状に形成した枠を前記本体の上面に係止し、該枠に多数の通水孔を有するシートを張り、前記本体の上部を包囲するとともに前部に臥床者の頭部が露出する窓孔を有するカバーを設け、該カバーを前記枠に回動可能に取り付け、前記本体に洗浄水を上方に向けて噴出する下部ノズルを設け、前記カバーに洗浄水を下方に向けて噴出する上部ノズルを設けてなる臥床者のシャワー入浴装置があった。
【０００３】
【発明が解決しようとする課題】
上記従来のものは、臥床者をベッド又は布団から移動させてシャワー入浴、及び洗浄させるようにしていたので、介護者が大きな労力を要し、また臥床者にも負担を掛けるものであった。さらに、本体の上部を枠で補強したり、該枠にカバーを回動可能に取り付けたりしていたので、装置が大型かつ複雑となって高価になるものであった。本発明は上記不具合を解消した新規な臥床者の受け具及び臥床者のシャワー入浴装置を得ることを目的とする。
【０００４】
【課題を解決するための手段】
本発明は、上記欠点を解消するために以下の如く構成したものである。即ち、請求項１に係る発明は、臥床者の身長及び肩幅よりも若干大寸となる前後方向に細長い浅い樋状の受け板を設け、前記受け板の前端部に、底面が受け板の前端部に密接する半月状の枕を着脱可能に設け、前記受け板の後端部に堰を設け、該堰の底部中心部に排水口を設けるとともに、該堰の上部にオーバーフロー口を設け、受け板の底部中心部に前部から前記排水口に向かって延びる排水溝を設ける構成にしたものである。
請求項２に係る発明は、前記受け板は、軟質プラスチック材からなる軟質層内に硬質プラスチック性の芯材を埋設し、該芯材により浅い樋状に保形するとともに、前後方向中間部は前記芯材が除去された軟質層のみとしたものである。
請求項３に係る発明は、受け板の両側に、上面が受け板の底面に沿う円弧面となる楔形の安定具を抜き差し可能に設けたものである。
請求項４に係る発明は、臥床者の身長及び肩幅よりも若干大寸となる前後方向に細長い浅い樋状の受け板を設け、前記受け板の後端部に堰を設け、該堰の底部中心部に排水口を設けるとともに、該堰の上部にオーバーフロー口を設け、前記受け板の前端部に、底面が受け板の前端部に密接する半月状の枕を着脱可能に設け、前記受け板の底部中心部に前部から前記排水口に向かって延びる排水溝を設けてなる受け具と、該受け具の上面を覆うカバーとを設け、前記カバーは、左右幅が前記受け板の左右幅よりも若干小さく、かつ前後の長さが、前記枕の直後部から前記堰の直前部に至る長さとなる、下面及び前面が開口した倒立容器状にするとともに、前部に小径かつ円弧状の窓孔を有する前部カーテンを設けてなり、前記カバー内に洗浄水を噴出する多数のノズルを設ける構成にしたものである。請求項５に係る発明は、カバーは前後方向に分割又は前後方向に伸縮可能としたものである。
【０００５】
【発明の実施の形態】
以下、本発明の実施の形態を図面に基いて説明する。図面において、図１は本発明による受け具の第１実施例を示す分解斜視図、図２は受け具の側面断面図、図３は受け具への臥床者の載置状態を示す説明図、図４は本発明による受け具の第２実施例を示す折畳み状態の側面断面図、図５は図４のＡ部拡大断面図、図６は発明による受け具の第３実施例を示す斜視図、図７は本発明によるシャワー入浴装置の側面断面図、図８は図７のＶＩＩＩ−ＶＩＩＩ断面図、図９は本発明によるシャワー入浴装置のカバーの組付け状態を示す斜視図、図１０は組付け完了したカバーの斜視図である。
【０００６】
図１、図２において、１は臥床者（患者又は負傷者）２２を寝かせた状態で支持する受け具であり、臥床者２２の身長及び肩幅よりも若干大寸となる前後方向に細長い平面視長方形状となっている。即ち、硬質性のプラスチック材により前後の長さＬ１が１８００ｍｍ〜１９００ｍｍ、左右幅Ｗ１が約７００ｍｍ、曲率半径Ｒ１（図８）が約７００ｍｍとなる樋状の受け板２を形成し、該該受け板２の後端部に堰３を一体的に起立固定し、該堰３の底部中心部に排水口４を形成し、該堰３の上部中心部にオーバーフロー口９をそれぞれ形成する。上記排水口４に排水弁５ａによって開閉される排水ホース５を接続し、上記オーバーフロー口９を上部排水ホース９ａを介して上記排水弁５ａの上流側に位置する部位の排水ホース５に接続する。なお、上記堤３は受け板２の前端部にも設けるようにしてもよい。また、上記排水口４は受け板２後部の底部中心部に形成するようにしてもよい。
【０００７】
上記受け板２の前端部の内面に面ファスナー６（図１）を固着し、該面ファスナー６に半月状の枕７を着脱可能に取り付ける。上記受け板２にベッド（又は布団）２０上の臥床者２２を載置する際には、図３に示すように、臥床者２２をベッド２０上で横向きにし、受け板２を上記臥床者２２の背面側で横向きに起立させ、次いで上記臥床者２２を上向きに転動させつつ、受け板２を水平方向に回動させて該臥床者２２を上記受け板２上に寝かせる。上記受け板２を水平に回動させた後、図１に示す楔形の安定具８を上記受け板２の前後端部の左右両則に差し込み、ベッド２０上で上記受け板２の横揺れを防止する。
【０００８】
上記ベッド２０はジャッキにより前部が上傾斜できるようにしたジャッキ付きベッドとなっており、臥床者２２をハンドシャワー２１で局部の洗浄、あるいは後述のシャワー入浴装置１０によりシャワー入浴させる際には上記ベッド２０を介して受け板２を前部が後部よりも若干高くなるように傾斜させ、受け板２内に落下した使用済みの洗浄水（水又は湯）が後部の排水口４に向かって流れるようにする。なお、上記ジャッキを備えていない通常のベッド又は布団の場合は、安定具８により受け板２を前部が後部よりも若干高くなるように傾斜させる。
【０００９】
図４、図５は受け具１の第２実施例を示す。このものは、受け板２を軟質プラスチック材（可撓性資材）からなる軟質層２ａ内に硬質プラスチック性の芯材２ｂを埋設し、芯材２ｂにより浅い樋状に保形するとともに、前後方向中間部は図５に示すように、芯材２ｂを除去して軟質層２ａのみとしたものである。これにより、不使用時には図４の仮想線で示すように、前後方向中間部を中心として前後方向に折畳み、保管スペースが少なくて済むようにしたものである。その他は前述した第１実施例と略同様となっている。
【００１０】
図６は受け具１の第３実施例を示す。このものは、受け板２の底部中心部に前部から排水口４に向かって延びる排水溝４ａを形成したものである。このようにすれば、受け板２内に落下した使用済みの洗浄水が上記排水溝４ａを流通して後部の排水口４に向かうようになるので、該使用済みの洗浄水が臥床者に付着し難くなる。その他は前述した第１実施例と略同様となっている。
【００１１】
図７、図８において、１０は臥床者（患者）２２を寝かせた状態でシャワー入浴させるシャワーバスであり、受け具１、該受け具１の上面に着脱可能に載置されるカバー１１、該カバー１１内に取り付ける多数のノズル１５を主要部品として構成される。上記受け具１は前述したものと略同様の構造となっている。カバー１１は硬質性のプラスチック材により前後方向に細長い半円筒に形成し、上記受け具１の前端部を除く上部を包囲する。即ち、長さＬ２が約１５００ｍｍ〜１６００ｍｍ、左右幅Ｗ２が約６００ｍｍ、高さＨ２が約３００ｍｍとなるように形成する。上記カバー１１は前後方向中間部で２分割し、両者をシール材１２を介して分離可能にかつ水密に接続し、前部カバー１１ａの前端部を前部カーテン１３により閉塞するとともに、該前部カーテン１３に臥床者２２の頭部を外部に露出させる窓孔１３ａを形成する。また、後部カバー１１ｂの後端部を後部カーテン（又はプラスチック壁）１４により閉塞する。１５は前後部カバー１１ａ，１１ｂの頂部に取り付けた把手である。
【００１２】
上記カバー１１内の前後４箇所に洗浄水を噴出するノズル１６を取り付ける。即ち、カバー１１内の頂部に親管１７を前後方向に延長させて取り付け、該親管１７の前後４箇所に左右方向に延びる分岐管１８（図８）を接続し、該分岐管１８の各端部に上記ノズル１６を取り付ける。上記親管１７の後端はカバー１１の後面から後方に突出させ、該突出端部に給湯ホース１９を接続する。これにより、給湯ホース１９から供給される湯を親管１７、分岐管１８を介して各ノズル１６に供給し、該各ノズル１６からカバー１１内の臥床者２２の身体部に向けて湯を噴出させる。１７ａは前後部カバー１１ａ，１０ｂに取り付けた親管１７，１７同士を接続する接続ホースであり、図９、図１０に示すように、前後部カバー１１ａ，１０ｂを連結した後、前後部カバー１１ａ，１０ｂの外側に配置した接続ホース１７ａを介して上記親管１７，１７同士を接続する。なお、上記カバー１１は蛇腹形にして前後方向に伸縮可能にしてもよい。
【００１３】
上記シャワーバス１０による臥床者２２のシャワー入浴時、あるいは前述した受け具１とハンドシャワー２１による臥床者２２の洗浄時において、臥床者２２を入浴状態にしてシャワー入浴、あるいは洗浄する際には、排水弁５ａを閉じて受け具１内に湯を充満させるようにする。この場合、受け具１内の過剰の湯はオーバーフロー口９から上部排水ホース９ａ、排水ホース５を介して外部に排出されることになる。
【００１４】
【発明の効果】
以上の説明から明らかな如く、本発明による臥床者の受け具は、その受け板を浅い樋状にしたので、ベッドあるいは布団上で臥床者の受け具への収容、排出が小労力で行えることになる。また、上記受け板の後端部に堰、及び排出口を設けたので、受け具に収容した臥床者の身体あるいは局部をハンドシャワー等により洗浄した際に、洗浄水が周囲に飛散しなくなるとともに、使用済みの洗浄水の処理が容易に行えることになる。
また、受け板両側に抜き差しできる楔形の安定具を設けたので、受け具の不用意な回動を防止することができるとともに、左右の安定具の差込み量を適宜変えて受け板の左右方向の回動角度を変化させることにより、受け具に収容した臥床者の横向き角度、つまり重心を容易に変化させることができる。
また、本発明による臥床者のシャワー入浴装置は、上記受け具の上面に倒立容器状のカバーを着脱可能に設け、該カバー内に洗浄水を噴出する多数のノズルを設けるようにしたので、構造が簡素となって安価になるとともに、受け具に収容した臥床者を空隙を少なくして包囲することができ、該臥床者のシャワー入浴が効率よく行われることになる。
【図面の簡単な説明】
【図１】本発明による受け具の第１実施例を示す分解斜視図である。
【図２】受け具の側面断面図である。
【図３】受け具への臥床者の載置状態を示す説明図である。
【図４】本発明による受け具の第２実施例を示す折畳み状態の側面断面図である。
【図５】図４のＡ部拡大断面図である。
【図６】発明による受け具の第３実施例を示す斜視図である。
【図７】本発明によるシャワー入浴装置の側面断面図である。
【図８】図７のＶＩＩＩ−ＶＩＩＩ断面図である。
【図９】本発明によるシャワー入浴装置のカバーの組付け状態を示す斜視図である。
【図１０】組付け完了したカバーの斜視図である。
【符号の説明】
１    臥床者の受け具
２    受け板
２ａ  軟質層（可撓性資材）
２ｂ  芯材
３    堤
４    排水口
４ａ  排水溝
５    排水ホース
５ａ  排水弁
６    面ファスナー
７    枕
８    安定具
９    オーはーフロー口
９ａ  上部排水ホース
１０    シャワー入浴装置
１１    カバー
１１ａ  前部カバー
１１ｂ  後部カバー
１２    シール材
１３    前部カーテン
１３ａ  窓孔
１４    後部カーテン
１５    把手
１６    ノズル
１７    分岐管
１７ａ  接続ホース
１８    分岐管
１９    給湯ホース
２０    ベッド
２１    ハンドシャワー
２２    臥床者（患者）
【図１】
0003612051.tif 000002
【図２】
0003612051.tif 000003
【図３】
0003612051.tif 000004
【図４】
0003612051.tif 000005
【図５】
0003612051.tif 000006
【図６】
0003612051.tif 000007
【図７】
0003612051.tif 000008
【図８】
0003612051.tif 000009
【図９】
0003612051.tif 000010
【図１０】
0003612051.tif 000011